(57)【特許請求の範囲】
【請求項１】
電波を反射板（２）で反射させて中継を行う中継地点において反射前後の電波伝搬路に障害物があるか否かを確認するための電波伝搬路表示板（１０；２０；３０）であって、
板状の本体（１１；２１；３１）と、
該本体に取り付けられた、かつ、前記電波伝搬路表示板を前記反射板の反射面または該反射板が固定された鉄構（１）に取り付けるための表示板取付手段（１２；２２；３２）とを具備し、
前記本体に、前記電波の入射方向を特定するための細長い第１の方向表示孔（１１L；２１L；３１L）および該電波の反射方向を特定するための細長い第２の方向表示孔（１１R；２１R；３１R）が該本体の表面から裏面まで貫通するように形成されている、
ことを特徴とする、電波伝搬路表示板。
【請求項２】
前記表示板取付手段が、前記本体（１１；３１）の左側および右側側面にそれぞれ取り付けられた２個のＬ型固定金具（１２；３２）、または、前記本体（２１）の下端部に取り付けられた取付板（２２）であることを特徴とする、請求項１記載の電波伝搬路表示板。
【請求項３】
第１および第２のＵ型金物（３３）が、前記本体（３１）の裏面と該第１および第２のＵ型金物とでそれぞれ形成される第１および第２の開口部（３３ａ）が重なり合うように、前記第１の方向表示孔（３１L）の先端部および末端部にそれぞれ取り付けられており、
第３および第４のＵ型金物（３３）が、前記本体の裏面と該第３および第４のＵ型金物とでそれぞれ形成される第３および第４の開口部（３３ａ）が重なり合うように、前記第２の方向表示孔（３１R）の先端部および末端部にそれぞれ取り付けられている、
ことを特徴とする、請求項１または２記載の電波伝搬路表示板。
【請求項４】
電波を反射板（２）で反射させて中継を行う中継地点において反射前後の電波伝搬路に障害物があるか否かを確認するための電波伝搬路確認方法であって、
作業員が、前記反射板の反射面または前記鉄構（１）に取り付けられた請求項１乃至３いずれかに記載の電波伝搬路表示板（１０；２０；３０）に形成された前記第１の方向表示孔（１１L；２１L；３１L）を該電波伝搬路表示板の上方または下方から見て、該第１の方向表示孔の長手方向に沿った方向を前記電波の入射方向と特定して、該特定した入射方向に障害物がないかを目視で確認する第１のステップと、
作業員が、前記電波伝搬路表示板に形成された前記第２の方向表示孔（１１R；２１R；３１R）を該電波伝搬路表示板の上方または下方から見て該第２の方向表示孔の長手方向に沿った方向を前記電波の反射方向と特定して、該特定した反射方向に障害物がないかを目視で確認する第２のステップと、
を具備することを特徴とする、電波伝搬路確認方法。
【請求項５】
電波を反射板（２）で反射させて中継を行う中継地点において反射前後の電波伝搬路に障害物があるか否かを確認するための電波伝搬路確認方法であって、
作業員が、前記反射板の反射面または前記鉄構（１）に取り付けられた請求項３記載の電波伝搬路表示板（３０）を後方から前記第１および第２の開口部（３３ａ）が重なり合うように見て前記電波の入射方向を特定して、該特定した入射方向に障害物がないかを目視で確認する第１のステップと、
作業員が、前記電波伝搬路表示板を後方から前記第３および第４の開口部（３３ａ）が重なり合うように見て前記電波の反射方向を特定して、該特定した反射方向に障害物がないかを目視で確認する第２のステップと、
を具備することを特徴とする、電波伝搬路確認方法。
【発明の詳細な説明】
【技術分野】
【０００１】
本発明は、電波を反射板で反射させて中継を行う中継地点において反射前後の電波伝搬路に障害物があるか否かを確認するのに好適な電波伝搬路表示板および電波伝搬路確認方法に関する。
【背景技術】
【０００２】
パラボラアンテナを用いてマイクロ波などの電波を相手局（目的地）に伝送する場合に、パラボラアンテナの高さが低いときには、山上などの中継地点の鉄構（鉄塔などの鉄骨構造物）に中継用の反射板を設置して電波を反射させ、相手局が電波を受信できるようにしている。
【０００３】
このような反射板の点検・巡視においては、中継地点によって反射板の反射角度が異なるため、作業員は、目標物（無線局アンテナなど）や地図などを参照して目視で電波伝搬方向（電波の入射方向および反射方向）を特定したのち、電波伝搬路上の障害物（樹木など）の有無を確認している。
【０００４】
なお、下記の特許文献１には、電波伝搬路を妨害する障害物の有無を目視により簡単に確認できるように、２つのズームレンズを内蔵した望遠スコープにおいて、接眼部内の接眼レンズから所定間隔を置いた内奥の光軸位置にスケールガラスを配した電波伝搬路障害物確認スコープが開示されている。
【先行技術文献】
【特許文献】
【０００５】
【特許文献１】実開平０６−００２３２６号公報
【発明の概要】
【発明が解決しようとする課題】
【０００６】
しかしながら、上述した作業員の目視による電波伝搬方向の特定では、以下に示すような問題があった。
（１）雨や曇りの日は、目標物が確認できないため、電波伝搬方向を特定することができない。
（２）中継地点の位置を特定するために全地球測位システム（ＧＰＳ）を用いても、目標物などがないと電波伝搬方向を特定することができない。
（３）地図と方位磁石を用いても、磁北と真北との誤差（たとえば、８°）を是正する必要がある。
（４）中継用の反射板の反射角が分かっているため分度器を用いても、分度器を反射板の反射面に当てて電波伝搬方向を特定する必要があり、作業員が障害物確認作業を行える位置が決まってしまう。
【０００７】
また、観光地の展望台などでは、離島などの方向を示すための管が設置してあり、管を覗くとその島が見える工夫がしてある。
しかし、このような管を中継地点の鉄構に設置することにより電波伝搬方向を特定することは可能であるが、管の後方からの１点でしか障害物確認作業を行えないため、たとえば作業員は胴綱（安全装置）を付けて鉄構に登り、無理な姿勢で障害物確認作業を行わなければならないという問題がある。また、管が重いと、反射板への取付（固定）作業に苦心することになるという問題がある。
【０００８】
本発明の目的は、少なくとも２点から目視によって電波伝搬方向を特定して障害物確認作業を行うことができる電波伝搬路表示板および電波伝搬路確認方法を提供することにある。
【課題を解決するための手段】
【０００９】
本発明の電波伝搬路表示板は、電波を反射板（２）で反射させて中継を行う中継地点において反射前後の電波伝搬路に障害物があるか否かを確認するための電波伝搬路表示板（１０；２０；３０）であって、板状の本体（１１；２１；３１）と、該本体に取り付けられた、かつ、前記電波伝搬路表示板を前記反射板の反射面または該反射板が固定された鉄構（１）に取り付けるための表示板取付手段（１２；２２；３２）とを具備し、前記本体に、前記電波の入射方向を特定するための細長い第１の方向表示孔（１１L；２１L；３１L）および該電波の反射方向を特定するための細長い第２の方向表示孔（１１R；２１R；３１R）が該本体の表面から裏面まで貫通するように形成されていることを特徴とする。
ここで、前記表示板取付手段が、前記本体（１１；３１）の左側および右側側面にそれぞれ取り付けられた２個のＬ型固定金具（１２；３２）、または、前記本体（２１）の下端部に取り付けられた取付板（２２）であってもよい。
第１および第２のＵ型金物（３３）が、前記本体（３１）の裏面と該第１および第２のＵ型金物とでそれぞれ形成される第１および第２の開口部（３３ａ）が重なり合うように、前記第１の方向表示孔（３１L）の先端部および末端部にそれぞれ取り付けられており、第３および第４のＵ型金物（３３）が、前記本体の裏面と該第３および第４のＵ型金物とでそれぞれ形成される第３および第４の開口部（３３ａ）が重なり合うように、前記第２の方向表示孔（３１R）の先端部および末端部にそれぞれ取り付けられていてもよい。
本発明の電波伝搬路確認方法は、電波を反射板（２）で反射させて中継を行う中継地点において反射前後の電波伝搬路に障害物があるか否かを確認するための電波伝搬路確認方法であって、作業員が、前記反射板の反射面または前記鉄構（１）に取り付けられた本発明の電波伝搬路表示板（１０；２０；３０）に形成された前記第１の方向表示孔（１１L；２１L；３１L）を該電波伝搬路表示板の上方または下方から見て、該第１の方向表示孔の長手方向に沿った方向を前記電波の入射方向と特定して、該特定した入射方向に障害物がないかを目視で確認する第１のステップと、作業員が、前記電波伝搬路表示板に形成された前記第２の方向表示孔（１１R；２１R；３１R）を該電波伝搬路表示板の上方または下方から見て該第２の方向表示孔の長手方向に沿った方向を前記電波の反射方向と特定して、該特定した反射方向に障害物がないかを目視で確認する第２のステップとを具備することを特徴とする。
また、本発明の電波伝搬路確認方法は、電波を反射板（２）で反射させて中継を行う中継地点において反射前後の電波伝搬路に障害物があるか否かを確認するための電波伝搬路確認方法であって、作業員が、前記反射板の反射面または前記鉄構（１）に取り付けられた本発明の電波伝搬路表示板（３０）を後方から前記第１および第２の開口部（３３ａ）が重なり合うように見て前記電波の入射方向を特定して、該特定した入射方向に障害物がないかを目視で確認する第１のステップと、作業員が、前記電波伝搬路表示板を後方から前記第３および第４の開口部（３３ａ）が重なり合うように見て前記電波の反射方向を特定して、該特定した反射方向に障害物がないかを目視で確認する第２のステップとを具備することを特徴とする。
【発明の効果】
【００１０】
本発明の電波伝搬路表示板および電波伝搬路確認方法は、以下に示す効果を奏する。
（１）本発明の電波伝搬路表示板を使用することにより、天候に関係なく電波伝搬方向を目視で特定できるため、その日の見通し可能範囲内では電波伝搬路上の障害物の有無を確実に確認することができるので、業務信頼度の向上が図れる。
（２）作業員は、反射板の上方からだけでなく下方や後方からも電波伝搬路表示板を見て電波伝搬方向を特定できるため、無理な体勢をすることなく、また、巡視などで鉄構に昇ることがない場合でも、電波伝搬路上の障害物の有無を確認することができるので、業務の安全性の向上が図れる。
（３）電波伝搬路表示板に少なくとも２つの方向表示孔（電波の入射方向を特定するための方向表示孔と電波の反射方向を特定するための方向表示孔）を形成して溝穴（スリッド）構造とすることにより、上方および下方からの視認性を向上させることができるので、業務の確実性の向上が図れるとともに、電波伝搬路表示板をアルミ製とすることにより、小型軽量化が可能であり、反射板などに負荷をかけずに取り付けることができるので、設備信頼度・作業性の向上が図れる。
（４）電波伝搬方向の特定のための方位磁石、地図および分度器などを不要にすることができるので、巡視・点検時の装備の軽量化が図れる（副次効果）。
【図面の簡単な説明】
【００１１】
【図１】本発明の第１の実施例による電波伝搬路表示板１０の構成を示す正面図である。
【図２】図１に示した電波伝搬路表示板１０を用いた障害物確認作業の方法について説明するための図である。
【図３】図１に示した２個のＬ型固定金具１２の代わりに取付板２２を用いたる電波伝搬路表示板２０の構成を示す図であり、（ａ）は正面図であり、（ｂ）は左側面図である。
【図４】表示板取付部材３を鉄構１に固定して図３に示した電波伝搬路表示板２０を鉄構１に取り付ける方法について説明するための図である。
【図５】本発明の第２の実施例による電波伝搬路表示板３０の構成を示す図であり、（ａ）は電波伝搬路表示板３０の正面図であり、（ｂ）はＵ型金物３３の取付方法について説明するための図である。
【図６】図５に示した電波伝搬路表示板３０を用いた障害物確認作業の方法について説明するための図である。
【発明を実施するための形態】
【００１２】
上記の目的を、板状の本体に電波の入射方向を特定するための細長い方向表示孔と電波の反射方向を特定するための細長い方向表示孔とを本体の表面から裏面まで貫通するように形成することにより実現した。
【実施例１】
【００１３】
以下、本発明の電波伝搬路表示板および電波伝搬路確認方法の実施例について、図面を参照して説明する。
本発明の第１の実施例による電波伝搬路表示板１０は、左方向から入射角５０°で入射する電波を右方向に反射角５０°で反射させる反射板２に使用するものであり、図１に示すように板状の本体１１と２個のＬ型固定金具１２とを具備する。
【００１４】
ここで、本体１１は、アルミ製であり、直方体状の形状を有する。
本体１１を表面から見て左右均等に分割する中心線上には、本体１１の表面から裏面まで貫通する細長い中心線孔１１Cが形成されている。
本体１１の中心線孔１１Cの左側には、本体１１の表面から裏面まで貫通する細長い左側方向表示孔１１L（電波の入射方向を特定するための方向表示孔）が、中心線孔１１Cとのなす角が５０°となるように形成されている。また、本体１１の中心線孔１１Cの右側には、本体１１の表面から裏面まで貫通する細長い右側方向表示孔１１R（電波の反射方向を特定するための方向表示孔）が、中心線孔１１Cとのなす角が５０°となるように、かつ、中心線孔１１Cを対象軸としたときに左側方向表示孔１１Lと線対象となる位置に形成されている。
左側および右側方向表示孔１１L，１１Rは、中心線孔１１Cと同じ大きさおよび形状を有する。
【００１５】
２個のＬ型固定金具１２は、本体１１の左側面および右側面（本体１１を表面から見たときの左側および右側の側面）に、Ｌ型固定金具１２で電波伝搬路表示板１０を後述するように反射板２の反射面に取り付ける際に反射板２の反射面と接触させる面（以下、「取付面」と称する。）が本体１１の下側面（本体１１を表面から見たときの下側の面）と同一平面上にくるように、取付用ボルトでそれぞれ取り付けられている。
【００１６】
次に、電波伝搬路表示板１０を用いて電波伝搬方向を特定して障害物確認作業を行う方法について、図２を参照して説明する。
なお、電波は、図２図示紙面手前方向から反射板２に入射角５０°で入射したのち、反射板２で反射角５０°で同図図示紙面裏側に向けて反射されるものとする。また、電波伝搬路表示板１０は、鉄構１に固定された反射板２の反射面の下端部に２個のＬ型固定金物１２の取付面を当接させたのち、Ｌ型固定金物１２に形成された取付用ボルト孔（図１の破線参照）に取付用ボルトを通して予め取り付けられているものとする。
【００１７】
作業員は、鉄構１に昇ったのち、図２に矢印Ａで示すように反射板２の上方から電波伝搬路表示板１０を見て、左側方向表示孔１１Lの長手方向に沿って遠くを見ることにより、左側方向表示孔１１Lの長手方向（すなわち、電波の入射方向）に障害物がないかを目視で確認する。
その後、作業員は、右側方向表示孔１１Rの長手方向に沿って遠くを見ることにより、右側方向表示孔１１Rの長手方向（すなわち、電波の反射方向）に障害物がないかを目視で確認する。
これにより、作業員は、電波伝搬方向を特定して障害物確認作業を容易に行うことができる。
【００１８】
また、左側および右側方向表示孔１１L，１１Rは本体１１の表面から裏面まで貫通しているため、たとえば巡視時には、作業員は、鉄構１に昇らなくても、図２に矢印Ｂで示すように地上から電波伝搬路表示板１０を見て左側および右側方向表示孔１１L，１１Rを参照して電波伝搬方向を特定することにより、同様にして障害物確認作業を行うことができる。
【００１９】
以上の説明では、電波伝搬路表示板１０を反射板２に取り付けるのに２個のＬ型固定金具１２を用いたが、図３（ａ），（ｂ）に示す電波伝搬路表示板２０のように、板状の取付板２２を本体２１の下端部に本体２１の表面に対して垂直に取り付けてもよい。
この場合には、取付板２２に取付用ボルト孔（図３（ａ），（ｂ）の破線参照）を所定数（たとえば、左右２個ずつ）形成する。
【００２０】
また、電波伝搬路表示板１０を反射板２の反射面に取り付けたが、図４に電波伝搬路表示板２０について示すように、表示板取付部材３の上端部を、反射板２を固定している鉄構１の反射板固定部の下端部に、かつ、電波伝搬路表示板２０が取り付けられる面が反射板２の反射面と平行となるように固定して、取付板２２に形成された取付用ボルト孔に取付用ボルトを通して取り付けるようにしてもよい。
【００２１】
この場合には、作業員は、鉄構１に昇ったのち、図４に矢印Ａで示すように鉄構１の反射板固定部の上方から電波伝搬路表示板２０を見て左側および右側方向表示孔２１L，２１Rを参照して電波伝搬方向を特定することにより、障害物確認作業を行う。
また、作業員は、たとえば巡視時には、鉄構１に昇らなくても、図４に矢印Ｂで示すように地上から電波伝搬路表示板２０を見て左側および右側方向表示孔２１L，２１Rを参照して電波伝搬方向を特定することにより、障害物確認作業を行う。
【実施例２】
【００２２】
次に、本発明の第２の実施例による電波伝搬路表示板３０について、図５および図６を参照して説明する。
本実施例による電波伝搬路表示板３０は、図５（ａ），（ｂ）に示すように、４個のＵ型金物３３が本体３１の左側および右側方向表示孔３１L，３１Rの先端部および末端部にその両端が本体３１の表面側にくるようにそれぞれ取り付けられている点で、上述した第１の実施例による電波伝搬路表示板１０，２０と異なる。
【００２３】
ここで、左側方向表示孔３１Lの先端部および末端部にそれぞれ取り付けられている２個のＵ型金物３３は、左側方向表示孔３１Lの長手方向（図５（ｂ）の紙面手前から紙面裏側に向かう方向）に沿って見ると、本体３１の裏面とＵ型金物３３とで形成される開口部３３ａが重なり合うように取り付けられている。
同様に、右側方向表示孔３１Rの先端部および末端部にそれぞれ取り付けられている２個のＵ型金物３３は、右側方向表示孔３１Rの長手方向に沿って見ると本体３１の裏面とＵ型金物３３とで形成される開口部３３ａが重なり合うように取り付けられている。
【００２４】
これにより、図６に示すように電波伝搬路表示板３０を反射板２の反射面に取り付けると、作業員は、上述した電波伝搬路表示板１０と同様に、同図に矢印Ａ，Ｂで示すように反射板２の上方および下方から電波伝搬路表示板３０を見て左側および右側方向表示孔３１L，３１Rを参照して電波伝搬方向を特定することにより、障害物確認作業を行うことができる。
【００２５】
また、作業員は、鉄構１を途中まで昇って、図６に矢印Ｃで示すように電波伝搬路表示板３０を後方（水平方向）から見て４個のＵ型金物３３を参照して電波伝搬方向を特定することにより、障害物確認作業を行うことができる。
すなわち、作業員は、鉄構１を途中まで昇って、左側方向表示孔３１Lの先端部および末端部に取り付けられた２個のＵ型金物３３の開口部３３ａを互いに重なり合うように見ることにより、電波の入射方向を特定して、特定した電波の入射方向に障害物がないかを目視で確認することができる。
また、作業員は、右側方向表示孔３１Rの先端部および末端部に取り付けられた２個のＵ型金物３３の開口部３３ａを互いに重なり合うように見ることにより、電波の反射方向を特定して、特定した電波の反射方向に障害物がないかを目視で確認することができる。
【００２６】
なお、電波伝搬路表示板３０においても、図５（ａ）に示す２個のＬ型固定金物３２の代わりに、図３（ａ），（ｂ）に示した取付板２２を用いてもよい。
【００２７】
以上の説明では、本体１１，２１，３１に中心線孔１１C，２１C，３１Cを形成したが、小さい入射角（たとえば、２０°など）で入射する電波を反射させる反射板に使用する場合には、左側方向表示孔１１L，２１L，３１Lと右側方向表示孔１１R，２１R，３１Rとのなす角度も小さくなるため（たとえば、４０°など）、本体１１，２１，３１に中心線孔１１C，２１C，３１Cを形成するスペースがなくなるので、中心線孔１１C，２１C，３１Cを形成しなくてもよい。
【符号の説明】
【００２８】
１  鉄構
２  反射板
３  表示板取付部材
１０，２０，３０  電波伝搬路表示板
１１，２１，３１  本体
１１C，２１C，３１C  中心線孔
１１L，２１L，３１L  左側方向表示孔
１１R，２１R，３１R  右側方向表示孔
１２，３２  Ｌ型固定金物
２２  取付板
３３  Ｕ型金物
３３ａ  開口部
Ａ，Ｂ，Ｃ  矢印
【図１】
0005889580.tif 000002
【図２】
0005889580.tif 000003
【図４】
0005889580.tif 000004
【図５】
0005889580.tif 000005
【図６】
0005889580.tif 000006
【図３】
0005889580.tif 000007